(57)【要約】      （修正有）【課題】複数の装置が複数の無線リンクによって接続される無線通信において、各無線リンクへのパケットを分配する仕組みを提供する。【解決手段】無線基地局ＷＳ１と端末装置ＣＤａとの間を接続する複数の無線リンクＬ１、Ｌ２を介してデータを送信する無線送信装置１であって、送信するパケットのデータ長を取得するパケット長取得部１１０と、複数の無線リンクの通信状態を無線リンク毎に示す通信状態情報に基づいて、無線リンクＬ１、Ｌ２の伝送速度の期待値である期待伝送速度を無線リンク毎に算出する期待伝送速度算出部１２０と、パケット長取得部１１０が取得するデータ長と、期待伝送速度算出部１２０が算出する無線リンク毎の期待伝送速度とに基づいて、無線リンクにパケットを分配するパケット分配部１３０と、を備える。【選択図】図２
2018056974.tif 000002
【特許請求の範囲】
【請求項１】
無線基地局と端末装置との間を接続する複数の無線リンクを介してデータを送信する無線送信装置であって、
送信するパケットのデータ長を取得するデータ長取得部と、
前記複数の前記無線リンクの通信状態を前記無線リンク毎に示す通信状態情報に基づいて、前記無線リンクの伝送速度の期待値である期待伝送速度を前記無線リンク毎に算出する期待伝送速度算出部と、
前記データ長取得部が取得する前記データ長と、前記期待伝送速度算出部が算出する前記無線リンク毎の前記期待伝送速度とに基づいて、前記無線リンクに前記パケットを分配するパケット分配部と、
を備える無線送信装置。
【請求項２】
前記通信状態情報とは、
前記無線リンクの伝送速度と、前記無線リンクを同時に使用して通信する端末装置の数と、前記無線リンクの使用率と、前記無線リンクの再送率と、前記無線リンクの伝送遅延時間と、前記無線リンクの受信信号強度と、前記無線リンクのエラー率と、前記端末装置に割り当てられたデータの送信スケジュールをとのうち、少なくとも１つを含む
請求項１に記載の無線送信装置。
【請求項３】
前記パケット分配部は、
前記複数の前記無線リンクに接続される複数の無線通信部が送信する前記パケットを分配する
請求項１又は請求項２に記載の無線送信装置。
【請求項４】
前記期待伝送速度算出部は、
連続的、周期的及び前記通信状態情報の変動時のうち、少なくとも１つのタイミングにおいて取得した前記通信状態情報に基づいて、前記期待伝送速度を前記無線リンク毎に算出する
請求項１から請求項３のいずれか一項に記載の無線送信装置。
【請求項５】
自装置がデータを送信する複数の送信相手のうち、少なくとも一部は、自装置とは異なる場所に設置され、
前記送信相手は、
前記無線リンクと、伝送線路によって接続される有線リンクとのうち、少なくとも１つによって自装置と接続される
請求項１から請求項４のいずれか一項に記載の無線送信装置。
【請求項６】
前記期待伝送速度算出部は、
前記有線リンクの伝送速度に基づいて、前記有線リンクの伝送速度の前記期待伝送速度を前記有線リンク毎に算出する
請求項５に記載の無線送信装置。
【請求項７】
前記期待伝送速度は、
前記有線リンクの通信品質を測定する測定用パケットを前記送信相手に送信し、取得した前記有線リンク毎の伝送速度に基づいて、前記有線リンク毎の前記期待伝送速度を算出する
請求項５又は請求項６に記載の無線送信装置。
【請求項８】
無線基地局と端末装置との間を接続する複数の無線リンクを介してデータを送信する無線送信装置が送信するパケットのデータ長を取得するデータ長取得手順と、
前記複数の前記無線リンクの通信状態を前記無線リンク毎に示す通信状態情報に基づいて、前記無線リンクの伝送速度の期待値である期待伝送速度を前記無線リンク毎に算出する期待伝送速度算出手順と、
前記データ長取得手順が取得する前記データ長と、前記期待伝送速度算出手順が算出する前記無線リンク毎の前記期待伝送速度とに基づいて、前記無線リンクに前記パケットを分配するパケット分配手順と、
を備える無線送信方法。
【発明の詳細な説明】
【技術分野】
【０００１】
本発明は、無線送信装置及び無線送信方法に関する。
【背景技術】
【０００２】
近年、ミリ波帯と呼ばれる３０ＧＨｚ以上の周波数の電波を用いた超高速、広帯域な無線通信の技術が知られている。
ここで、ミリ波帯の無線通信は、これまで移動体向けの無線通信に用いられてきた６ＧＨｚ以下の電波とは異なり、直進性が強く、障害物などで伝搬経路が遮蔽されることによって通信が途切れてしまう場合がある。
従来、途切れやすいミリ波帯の通信を補完するために、複数の無線リンクを用いて適応的に通信経路を設定しデータ通信を行う方法が知られている。具体的には、ミリ波帯による無線通信を、６ＧＨｚ以下の無線通信と組合せ、安定した基本の通信帯域を６ＧＨｚ以下で確保しつつ、かつミリ波帯での無線通信の優位性を活用する方法等である。
また、非特許文献には、広帯域固定無線アクセスシステム（Ｆｉｘｅｄ  Ｗｉｒｅｌｅｓｓ  Ａｃｃｅｓｓ：  ＦＷＡ）において複数の無線リンクを用いて適応的に通信経路を構成する場合、無線リンク間の伝送速度の違いやパケットサイズの大小を考慮して、受信側でのパケット到着の順序逆転ができるだけ発生しないようにする技術が記載されている。
【先行技術文献】
【非特許文献】
【０００３】
【非特許文献１】電子情報通信学会技術研究報告．  ＲＣＳ２００２−１９３  （２００２−１１）  「無線マルチリンクシステムにおけるパケット順序制御手法についての検討」
【発明の概要】
【発明が解決しようとする課題】
【０００４】
ここで、データ通信の送信元である無線基地局が構成する複数の無線リンクには、複数の端末装置が接続される場合がある。従来の技術では、１対１通信が複数の無線リンクによって接続される場合（以下、マルチリンク通信）に、各無線リンクへのパケットの振り分けをすることができても、１つの無線基地局が複数の端末装置と接続される場合等の１対多通信がマルチリンク通信によって接続される場合に、各無線リンクへのパケットの振り分けをすることまでは困難である場合があった。
本発明は、上記問題に鑑みて為されたものであり、複数の装置が複数の無線リンクによって接続される無線通信において、各無線リンクへのパケットを分配する仕組みを提供することを目的とする。
【課題を解決するための手段】
【０００５】
（１）本発明の一態様は、無線基地局と端末装置との間を接続する複数の無線リンクを介してデータを送信する無線送信装置であって、送信するパケットのデータ長を取得するデータ長取得部と、前記複数の前記無線リンクの通信状態を前記無線リンク毎に示す通信状態情報に基づいて、前記無線リンクの伝送速度の期待値である期待伝送速度を前記無線リンク毎に算出する期待伝送速度算出部と、前記データ長取得部が取得する前記データ長と、前記期待伝送速度算出部が算出する前記無線リンク毎の前記期待伝送速度とに基づいて、前記無線リンクに前記パケットを分配するパケット分配部と、を備える無線送信装置である。
【０００６】
（２）本発明の一態様は、上記（１）に記載の無線送信装置において、前記通信状態情報とは、前記無線リンクの伝送速度と、前記無線リンクを同時に使用して通信する端末装置の数と、前記無線リンクの使用率と、前記無線リンクの再送率と、前記無線リンクの伝送遅延時間と、前記無線リンクの受信信号強度と、前記無線リンクのエラー率と、前記端末装置に割り当てられたデータの送信スケジュールを示すスケジュール情報とのうち、少なくとも１つを含む。
【０００７】
（３）本発明の一態様は、上記（１）又は上記（２）に記載の無線送信装置において、前記パケット分配部は、前記複数の前記無線リンクに接続される複数の無線通信部が送信する前記パケットを分配する。
【０００８】
（４）本発明の一態様は、上記（１）から上記（３）に記載の無線送信装置において、前記期待伝送速度算出部は、連続的、周期的及び前記通信状態情報の変動時のうち、少なくとも１つのタイミングにおいて取得した前記通信状態情報に基づいて、前記期待伝送速度を前記無線リンク毎に算出する。
【０００９】
（５）本発明の一態様は、上記（１）から上記（４）に記載の無線送信装置において、自装置がデータを送信する複数の送信相手のうち、少なくとも一部は、自装置とは異なる場所に設置され、前記送信相手は、前記無線リンクと、伝送線路によって接続される有線リンクとのうち、少なくとも１つによって自装置と接続される。
【００１０】
（６）本発明の一態様は、上記（５）に記載の無線送信装置において、前記期待伝送速度算出部は、前記有線リンクの伝送速度に基づいて、前記有線リンクの伝送速度の前記期待伝送速度を前記有線リンク毎に算出する。
【００１１】
（７）本発明の一態様は、上記（５）又は上記（６）に記載の無線送信装置において、前記期待伝送速度は、前記有線リンクの通信品質を測定する測定用パケットを前記送信相手に送信し、取得した前記有線リンク毎の伝送速度に基づいて、前記有線リンク毎の前記期待伝送速度を算出する。
【００１２】
（８）本発明の一態様は、無線基地局と端末装置との間を接続する複数の無線リンクを介してデータを送信する無線送信装置が送信するパケットのデータ長を取得するデータ長取得手順と、前記複数の前記無線リンクの通信状態を前記無線リンク毎に示す通信状態情報に基づいて、前記無線リンクの伝送速度の期待値である期待伝送速度を前記無線リンク毎に算出する期待伝送速度算出手順と、前記データ長取得手順が取得する前記データ長と、前記期待伝送速度算出手順が算出する前記無線リンク毎の前記期待伝送速度とに基づいて、前記無線リンクに前記パケットを分配するパケット分配手順と、を備える無線送信方法である。
【発明の効果】
【００１３】
本発明によれば、複数の装置が複数の無線リンクによって接続される無線通信において、各無線リンクへのパケットを分配する仕組みを提供することができる。
【図面の簡単な説明】
【００１４】
【図１】本実施形態における無線送信装置の概要の一例を示す図である。
【図２】本実施形態における無線送信装置の構成の一例を示す図である。
【図３】本実施形態における無線基地局と、端末装置とのパケットの送信の一例を示す図である。
【図４】本実施形態における無線送信装置の動作の一例を示す流れ図である。
【図５】変形例１における無線基地局と、端末装置とのパケットの送信の一例を示す図である。
【図６】変形例２におけるパケット分配装置と、無線基地局と、端末装置とのパケットの送信の一例を示す図である。
【図７】変形例２における無線基地局と、端末装置とが１対多接続される構成の一例を示す図である。
【発明を実施するための形態】
【００１５】
［第１実施形態］
＜無線送信装置の概要について＞
以下、図を参照して本発明の第１実施形態について説明する。
図１は、本実施形態における無線送信装置１の概要の一例を示す図である。
図１（ａ）は、無線送信装置１が無線基地局ＷＳ１に備えられる場合の概要を示す図である。図１（ａ）に示す通り、無線基地局ＷＳ１と、複数の端末装置ＣＤとは、複数の無線通信（以下、リンクＬ）によって接続される。無線基地局ＷＳは、無線基地局ＷＳが発信する電波によって移動体通信網を構成する。無線基地局ＷＳが構成する移動体通信網のエリア内に端末装置ＣＤが在圏する場合、当該端末装置ＣＤは、あるリンクＬ又は複数のリンクＬを介して無線基地局ＷＳと接続され、データ通信や通話を行うことができる。
この一例では、無線基地局ＷＳ１と、端末装置ＣＤである端末装置ＣＤａ、端末装置ＣＤｂ及び端末装置ＣＤｃが複数のリンクＬを介して接続される。より具体的には、無線基地局ＷＳ１と、端末装置ＣＤａ及び端末装置ＣＤｂとがリンクＬ１を介して接続される。また、無線基地局ＷＳ１と、端末装置ＣＤａ及び端末装置ＣＤｃとがリンクＬ２を介して接続される。以下、端末装置ＣＤａ、端末装置ＣＤｂ及び端末装置ＣＤｃを区別しない場合には、総称して端末装置ＣＤと記載する。また、リンクＬ１と、リンクＬ２とを区別しない場合には、総称してリンクＬと記載する。リンクＬとは、無線リンクの一例である。
ここで、複数の端末装置ＣＤのうち、少なくとも一部の端末装置ＣＤは、無線基地局ＷＳ１とは異なる場所に設置される装置である。
【００１６】
なお、この一例では、端末装置ＣＤが１つ又は２つのリンクＬを介して無線基地局ＷＳと接続される場合について説明したが、これに限られない。端末装置ＣＤは、少なくとも１つのリンクＬを介して無線基地局ＷＳと接続される構成であってもよく、２つ以上のリンクＬを介して無線基地局ＷＳと接続される構成であってもよい。
また、無線基地局ＷＳと端末装置ＣＤとを接続する複数のリンクＬは、異なる無線通信方式、周波数帯、または無線チャネルによって構成されるリンクＬであってもよい。例えば、複数のリンクＬのうち、一部はミリ波帯の周波数帯によって構成されていてもよい。
【００１７】
ここで、無線基地局ＷＳ１から端末装置ＣＤａにパケットを送信する場合、リンクＬ１介してパケットを送信する場合と、リンクＬ２を介してパケットを送信する場合とでは、伝送速度が異なる場合がある。例えば、無線基地局ＷＳ１は、リンクＬ１およびリンクＬ２に異なる無線通信方式を用いることがある。また、無線基地局ＷＳ１は、同時にリンクＬを使用する端末装置ＣＤの数が少ないリンクＬを介して通信することにより、端末装置ＣＤａに対してリンクＬのリソースを多く利用してパケットを高速に送信することができる。また、無線基地局ＷＳ１は、リンクＬが伝送可能なデータ容量のうち、既に使用されている容量の割合（以下、リンクＬの使用率）が低いリンクＬを介して通信することにより、端末装置ＣＤａに対してはパケットを高速に送信することができる。また、無線基地局ＷＳ１は、端末装置ＣＤａに対して通信可能なパケットの量に対する再送されるパケット割合（以下、再送率）が低いリンクＬを介して通信することにより、端末装置ＣＤａに対してパケットを高速に送信することができる。また、無線基地局ＷＳ１は、端末装置ＣＤａにパケットを送信する際の再送等による伝送遅延時間が少ないリンクＬを介して通信することにより、端末装置ＣＤａに対してパケットを高速に送信することができる。また、無線基地局ＷＳ１は、端末装置ＣＤａに割り当てられる送信スケジュールの頻度が高いリンクＬを介して通信することにより、端末装置ＣＤａに対してパケットを高速に送信することができる。
以降の説明において、リンクＬの伝送速度、リンクＬを同時に使用して通信する端末装置の数（以下、端末装置数）、リンクＬの使用率、リンクＬの再送率、リンクＬの伝送遅延時間、リンクＬの受信信号強度及びリンクＬのエラー率及び無線送信装置１に割り当てられたデータの送信スケジュールを総称して通信状態と記載する。
【００１８】
無線送信装置１は、無線基地局ＷＳ１が複数のリンクＬを介して接続される端末装置ＣＤａに送信するパケットを、伝送速度が速くなるように分配する装置である。具体的には、無線送信装置１は、リンクＬ毎の通信状態に基づいて、各リンクＬに送信させるパケットを配分し、各リンクＬにパケットを送信させる。
なお、無線送信装置１が無線基地局ＷＳ１に備えられる構成に代えて、無線送信装置１と、無線基地局ＷＳ１とが別体である構成であってもよい。
【００１９】
また、図１（ｂ）は、無線送信装置１が端末装置ＣＤａに備えられる場合の概要を示す図である。
ここで、端末装置ＣＤａが無線基地局ＷＳ１にパケットを送信する場合、上述した無線基地局ＷＳ１が端末装置ＣＤａにパケットを送信する場合と同様に、リンクＬ１介してパケットを送信する場合と、リンクＬ２を介してパケットを送信する場合とでは、伝送速度が異なる場合がある。
この場合、無線送信装置１は、端末装置ＣＤａが複数のリンクＬを介して接続される無線基地局ＷＳ１に送信するパケットを、伝送速度が速くなるように分配する装置である。具体的には、無線送信装置１は、リンクＬ毎の通信状態に基づいて、各リンクＬに送信させるパケットを配分し、各リンクＬにパケットを送信させる。
なお、無線送信装置１が端末装置ＣＤａに備えられる構成に代えて、無線送信装置１と、端末装置ＣＤａとが別体である構成であってもよい。
【００２０】
つまり、無線送信装置１とは、パケットを送信する送信元装置と、パケットを受信する受信装置とが複数のリンクＬによって接続される場合、当該複数のリンクＬ全体で合計したパケットの伝送速度が高速になるように、各リンクＬに送信させるパケットの配分を算出し、算出した配分に基づいて、各リンクＬにパケットを送信させる装置である。無線基地局ＷＳ１が端末装置ＣＤａにパケットを送信する場合、送信元装置とは、無線基地局ＷＳ１であって、受信装置とは、端末装置ＣＤａである。また、端末装置ＣＤａが無線基地局ＷＳ１にパケットを送信する場合、送信元装置とは、端末装置ＣＤａであって、受信装置とは、無線基地局ＷＳ１である。
【００２１】
＜無線送信装置の構成について＞
以下、図を参照して無線送信装置１の構成について説明する。
図２は、本実施形態における無線送信装置１の構成の一例を示す図である。
上述したように、無線送信装置１は、送信元装置と、受信装置とを接続する複数のリンクＬに送信させるパケットを配分し、各リンクＬにパケットを送信させる装置である。この一例では、送信元装置と、受信装置と、がリンクＬ１と、リンクＬ２とによって接続される。また、図２に示す通り、この一例では、送信装置が無線基地局ＷＳ１であって、受信装置が端末装置ＣＤａである場合について説明する。
なお、送信元装置と、受信装置とは、２つ以上のリンクＬによって接続される構成であってもよい。
また、受信装置とは、送信相手の一例である。
【００２２】
図２に示す通り、無線送信装置１は、制御部１００を備える。制御部１００は、ＣＰＵ（Ｃｅｎｔｒａｌ  Ｐｒｏｃｅｓｓｉｎｇ  Ｕｎｉｔ）を備えており、パケット長取得部１１０、期待伝送速度算出部１２０、パケット分配部１３０をその機能部として備える。
パケット長取得部１１０は、リンクＬを介して送信するパケット長ＰＬをリンクＬ毎に取得する。パケット長取得部１１０は、例えば、送信元装置のネットワーク層の機能を有する機能部からリンクＬ毎のパケット長ＰＬを取得する。パケット長取得部１１０は、取得したパケット長ＰＬを示す情報をパケット分配部１３０に供給する。パケット長取得部１１０とは、データ長取得部の一例である。また、パケット長ＰＬとは、データ長の一例である。
【００２３】
期待伝送速度算出部１２０は、既知の方法によってリンクＬ毎の通信状態を示す情報（以下、通信状態情報ＣＳ）を取得する。通信状態情報ＣＳには、リンクＬの伝送速度、リンクＬを同時に使用して通信する端末装置数、リンクＬの使用率、リンクＬの再送率、リンクＬの伝送遅延時間、リンクＬの受信信号強度及びリンクＬのエラー率及び無線送信装置１に割り当てられたデータの送信スケジュールのうち、少なくとも１つが含まれる。この一例では、通信状態情報ＣＳには、あるリンクＬの伝送速度、当該あるリンクＬを同時に使用する端末装置数及び当該あるリンクＬの再送率が含まれる場合について説明する。期待伝送速度算出部１２０は、取得したリンクＬ毎の通信状態情報ＣＳに基づいて、リンクＬ毎の期待伝送速度ＥＦＲを算出する。期待伝送速度ＥＦＲとは、通信状態情報ＣＳに基づく値であって、送信元装置がリンクＬを介して受信装置に送信するパケットの単位時間当たりのデータ量の期待値である。
この一例では、期待伝送速度算出部１２０は、式（１）によって期待伝送速度ＥＦＲの値（ＥＦＲ）を算出する。
【００２４】
ＥＦＲ＝伝送速度×１／（端末装置数）×（１−再送率）…（１）
【００２５】
ここで、無線基地局ＷＳ１と、端末装置ＣＤａとがリンクＬ１及びリンクＬ２によって接続される場合の、期待伝送速度算出部１２０が算出するリンクＬ毎の期待伝送速度ＥＦＲの具体例について説明する。
リンクＬ１の伝送速度が１００Ｍｂｐｓ、リンクＬ１に接続される端末装置ＣＤａ以外の端末装置ＣＤ（端末装置ＣＤｂ）が９台（つまり、リンクＬ１を使用する端末装置ＣＤの合計は、１０台）、端末装置ＣＤａへの再送率が４０％である場合、期待伝送速度算出部１２０が算出するリンクＬ１の期待伝送速度ＥＦＲである期待伝送速度ＥＦＲ１の値（ＥＦＲ１）は、式（２）によって示される。
【００２６】
ＥＦＲ１＝１００Ｍｂｐｓ×１／１０×（１−０．４）…（２）
【００２７】
したがって、期待伝送速度ＥＦＲ１の値は、６Ｍｂｐｓである。
また、リンクＬ２の伝送速度が１０Ｍｂｐｓ、リンクＬ２に接続される端末装置ＣＤａ以外の端末装置ＣＤ（端末装置ＣＤｃ以外、不図示）が１台（つまり、リンクＬ２を使用する端末装置ＣＤの合計は、合計２台）、端末装置ＣＤａへの再送率が２０％である場合、期待伝送速度算出部１２０が算出するリンクＬ２の期待伝送速度ＥＦＲの値（ＥＦＲ２）は、式（３）によって示される。
【００２８】
ＥＦＲ２＝１０Ｍｂｐｓ×１／２×（１−０．２）…（３）
【００２９】
したがって、期待伝送速度ＥＦＲ２の値は、４Ｍｂｐｓである。
期待伝送速度算出部１２０は、常時（連続的）、又は所定の時間毎（周期的）のタイミングにおいてリンクＬ毎の期待伝送速度ＥＦＲを算出し、パケット分配部１３０に供給する。この一例では、期待伝送速度算出部１２０は、リンクＬ１の期待伝送速度ＥＦＲ１及びリンクＬ２の期待伝送速度ＥＦＲ２をパケット分配部１３０に供給する。以降の説明において、各リンクＬの期待伝送速度ＥＦＲを区別しない場合には、総称して期待伝送速度ＥＦＲと記載する。
【００３０】
なお、期待伝送速度算出部１２０は、常時、又は所定の時間毎のタイミングにおいてリンクＬ毎の期待伝送速度ＥＦＲを算出する構成に代えて、通信状態情報ＣＳの値の変動時に期待伝送速度ＥＦＲを算出する構成であってもよい。
【００３１】
パケット分配部１３０は、パケット長取得部１１０からパケット長ＰＬを取得する。また、パケット分配部１３０は、期待伝送速度算出部１２０から期待伝送速度ＥＦＲを取得する。パケット分配部１３０は、取得したパケット長ＰＬと、期待伝送速度ＥＦＲとに基づいて、各リンクＬに送信させるパケットの配分を算出する。この一例では、パケット分配部１３０は、期待伝送速度ＥＦＲの値と同一の配分によって各リンクＬに送信させるパケットを配分する。この一例では、パケット分配部１３０は、リンクＬ１と、リンクＬ２とに６：４の配分によってパケットを送信させる。
パケット分配部１３０は、複数のリンクＬ（この一例では、リンクＬ１及びリンクＬ２）に接続される複数の無線通信部ＷＣ（この一例では、無線通信部ＷＣ１及び無線通信部ＷＣ２）が送信するパケットを分配する。パケット分配部１３０は、例えば、送信装置（この一例では、無線基地局ＷＳ１）又は無線送信装置１が備えるバッファ（不図示）に当該無線基地局ＷＳ１が送信するパケットを一時保管させる。また、パケット分配部１３０は、パケット長ＰＬを示す情報と、期待伝送速度ＥＦＲとに基づいて、受信装置（この一例では、端末装置ＣＤａ）においてパケットの受信順序に入れ替わりが生じないように、バッファに保管されたパケットを分配し、無線通信部ＷＣ１及び無線通信部ＷＣ２に送信させる。
【００３２】
＜無線送信装置の具体例：その１  無線基地局及び端末装置の接続＞
以下、図３を参照して、無線送信装置１１及び無線送信装置１２によるパケットの分配の具体的な例について説明する。
図３は、本実施形態における無線基地局ＷＳ１と、端末装置ＣＤ１とのパケットの送信の一例を示す図である。
図３に示す通り、この一例では、無線基地局ＷＳ１と、端末装置ＣＤ１とが複数のリンクＬを介して１対１に接続される。具体的には、無線基地局ＷＳ１と、端末装置ＣＤ１とがリンクＬ１及びリンクＬ２によって接続される。また、この一例では、無線基地局ＷＳ１と、端末装置ＣＤ１とが何れも送信元装置であって、かつ受信装置である。以降の説明において、無線基地局ＷＳ１が送信元装置であって、かつ端末装置ＣＤ１が受信装置である場合、無線基地局ＷＳ１が端末装置ＣＤ１に送信するパケットを下りパケットと記載する。また、端末装置ＣＤ１が送信元装置であって、かつ無線基地局ＷＳ１が受信装置である場合、端末装置ＣＤ１が無線基地局ＷＳ１に送信するパケットを上りパケットと記載する。
【００３３】
＜無線基地局について＞
無線基地局ＷＳ１は、無線通信部ＷＣ１と、無線通信部ＷＣ２と、上りパケット結合部ＵＦＰ１と、データ通信部ＤＲ１と、無線送信装置１１とを備える。
【００３４】
無線通信部ＷＣ１及び無線通信部ＷＣ２は、ＰＨＹ層及びデータリンク層の機能を有する。無線通信部ＷＣ１及び無線通信部ＷＣ２とは、例えば、無線モジュールである。この一例では、無線通信部ＷＣ１と、端末装置ＣＤ１が有する無線通信部ＷＣ（この一例では、無線通信部ＷＣ３）とは、リンクＬ１を介して接続され、パケットの送受信を行う。また、無線通信部ＷＣ２と、端末装置ＣＤ１が有する無線通信部ＷＣ（この一例では、無線通信部ＷＣ４）とは、リンクＬ２を介して接続され、パケットの送受信を行う。無線通信部ＷＣ１及び無線通信部ＷＣ２は、送信する下りパケットの配分が無線送信装置１１によって制御される。また、無線通信部ＷＣ１及び無線通信部ＷＣ２は、受信する上りパケットを上りパケット結合部ＵＦＰ１に供給する。
【００３５】
上りパケット結合部ＵＦＰ１は、無線通信部ＷＣ１及び無線通信部ＷＣ２から上りパケットを取得する。上りパケット結合部ＵＦＰ１は、取得した上りパケットが分割されていないパケットである場合、上りパケットをデータ通信部ＤＲ１に供給する。また、上りパケット結合部ＵＦＰ１は、取得した上りパケットが分割されたパケットである場合、到着した上りパケットのシーケンス番号に基づいて、上りパケットの受信順序が正しい順序になるように並べ替え、データ通信部ＤＲ１に供給する。
【００３６】
データ通信部ＤＲ１は、無線基地局ＷＳ１が送受信するパケットを転送する処理を行う。具体的には、データ通信部ＤＲ１は、上りパケット結合部ＵＦＰ１から取得する上りパケットを無線基地局ＷＳ１と通信可能に接続される他の装置（不図示）に送信する。また、データ通信部ＤＲ１は、無線基地局ＷＳ１と通信可能に接続される他の装置であって、無線基地局ＷＳ１を介して端末装置ＣＤ１にパケットを送信する装置から下りパケットを取得する。データ通信部ＤＲ１は、取得した下りパケットを無線送信装置１１に供給する。
【００３７】
なお、データ通信部ＤＲ１は、無線基地局ＷＳ１が送受信するパケットを転送する処理を行う機能の他、上りパケット及び下りパケットを生成する機能を有していていもよい。この場合、データ通信部ＤＲ１は、端末装置ＣＤ１の動作に応じて、無線基地局ＷＳ１に接続される他の装置に送信する上りパケットを生成してもよい。また、データ通信部ＤＲ１は、無線基地局ＷＳ１に接続される他の装置の動作に応じて、端末装置ＣＤ１に送信する下りパケットを生成してもよい。
【００３８】
無線送信装置１１は、無線基地局ＷＳ１が備える無線送信装置１である。無線送信装置１１は、制御部１００−１を備える。制御部１００−１は、ＣＰＵを備えており、下りパケット長取得部１１０−１と、下り期待伝送速度算出部１２０−１と、下りパケット分配部１３０−１とをその機能部として備える。下りパケット長取得部１１０−１は、無線基地局ＷＳ１が送信する下りパケットのパケット長ＰＬ（以下、下りパケット長ＤＰＬ）を取得するパケット長取得部１１０である。また、下り期待伝送速度算出部１２０−１は、無線基地局ＷＳ１が送信する下りパケットの期待伝送速度ＥＦＲを各リンクＬの通信状態情報ＣＳに基づいて算出する期待伝送速度算出部１２０である。また、下りパケット分配部１３０−１は、下りパケット長ＤＰＬと、下りパケットの期待伝送速度ＥＦＲとに基づいて、リンクＬ１及びリンクＬ２に送信させる下りパケットを配分するパケット分配部１３０である。
【００３９】
＜端末装置について＞
端末装置ＣＤ１は、アプリケーション実行部ＡＲと、無線通信部ＷＣ３と、無線通信部ＷＣ４と、下りパケット結合部ＤＦＰと、データ通信部ＤＲ２と、無線送信装置１２とを備える。
【００４０】
アプリケーション実行部ＡＲは、端末装置ＣＤ１が備えるアプリケーション等の機能を実行する。アプリケーション実行部ＡＲは、実行するアプリケーションの動作に応じて送信する上りパケットをデータ通信部ＤＲ２に供給する。また、アプリケーション実行部ＡＲは、実行するアプリケーションの動作に応じて受信する下りパケットをデータ通信部ＤＲ２から取得する。
【００４１】
無線通信部ＷＣ３及び無線通信部ＷＣ４は、ＰＨＹ層及びデータリンク層の機能を有する。無線通信部ＷＣ３及び無線通信部ＷＣ４とは、例えば、無線モジュールである。この一例では、無線通信部ＷＣ３と、無線基地局ＷＳ１が有する無線通信部ＷＣ（この一例では、無線通信部ＷＣ１）とは、リンクＬ１を介して接続され、パケットの送受信を行う。また、無線通信部ＷＣ４と、無線基地局ＷＳ１が有する無線通信部ＷＣ（この一例では、無線通信部ＷＣ２）とは、リンクＬ２を介して接続され、パケットの送受信を行う。無線通信部ＷＣ３及び無線通信部ＷＣ４は、送信する上りパケットの配分が無線送信装置１２によって制御される。また、無線通信部ＷＣ３及び無線通信部ＷＣ４は、受信する下りパケットを下りパケット結合部ＤＦＰに供給する。
【００４２】
下りパケット結合部ＤＦＰは、無線通信部ＷＣ３及び無線通信部ＷＣ４から下りパケットを取得する。下りパケット結合部ＤＦＰは、取得した下りパケットが分割されていないパケットである場合、当該下りパケットをデータ通信部ＤＲ２に供給する。また、下りパケット結合部ＤＦＰは、取得した下りパケットが分割されたパケットである場合、到着した下りパケットのシーケンス番号に基づいて、下りパケットの受信順序が正しい順序になるように並べ替え、データ通信部ＤＲ２に供給する。
【００４３】
データ通信部ＤＲ２は、端末装置ＣＤ１が送受信するパケットを転送する処理を行う。具体的には、データ通信部ＤＲ２は、アプリケーション実行部ＡＲが実行するアプリケーションが送信する上りパケットを取得し、取得した当該上りパケットを無線送信装置１１に供給する。また、データ通信部ＤＲ２は、下りパケット結合部ＤＦＰから取得した下りパケットをアプリケーション実行部ＡＲに供給する。
【００４４】
なお、データ通信部ＤＲ２は、端末装置ＣＤ１が送受信するパケットを転送する処理を行う機能の他、上りパケット及び下りパケットを生成する機能を有していていもよい。この場合、データ通信部ＤＲ２は、端末装置ＣＤ１の動作に応じて、無線基地局ＷＳ１に送信する上りパケットを生成してもよい。また、データ通信部ＤＲ２は、端末装置ＣＤ１の動作に応じて、アプリケーション実行部ＡＲに送信する下りパケットを生成してもよい。
【００４５】
無線送信装置１２は、端末装置ＣＤ１が備える無線送信装置１である。無線送信装置１２は、無線送信装置１２は、制御部１００−２を備える。制御部１００−２は、ＣＰＵを備えており、上りパケット長取得部１１０−２と、上り期待伝送速度算出部１２０−２と、上りパケット分配部１３０−２とをその機能部として備える。上りパケット長取得部１１０−２は、端末装置ＣＤ１が送信する上りパケットのパケット長ＰＬ（以下、上りパケット長ＵＰＬ）を取得するパケット長取得部１１０である。また、上り期待伝送速度算出部１２０−２は、端末装置ＣＤ１が送信する上りパケットの期待伝送速度ＥＦＲを各リンクＬの通信状態情報ＣＳに基づいて算出する期待伝送速度算出部１２０である。また、上りパケット分配部１３０−２は、上りパケット長ＵＰＬと、上りパケットの期待伝送速度ＥＦＲとに基づいて、リンクＬ１及びリンクＬ２に送信させる上りパケットを配分するパケット分配部１３０である。
【００４６】
以下、図を参照して無線送信装置１の動作について説明する。
図４は、本実施形態における無線送信装置１の動作の一例を示す流れ図である。
パケット長取得部１１０、送信元装置が送信するパケットのパケット長ＰＬを取得する（ステップＳ１１０）。期待伝送速度算出部１２０は、送信元装置と、受信装置とを接続する複数のリンクＬ毎の通信状態情報ＣＳに基づいて、期待伝送速度ＥＦＲをリンクＬ毎に算出する（ステップＳ１２０）。パケット分配部１３０は、パケット長取得部１１０が取得したパケット長ＰＬと、期待伝送速度算出部１２０が算出した各リンクＬの期待伝送速度ＥＦＲとに基づいて、各リンクＬに送信させるパケットの分配を算出し、算出した分配によって各リンクＬにパケットを送信させる（ステップＳ１３０）。
【００４７】
＜実施形態のまとめ＞
以上説明したように、本実施形態の無線送信装置１は、送信元装置が複数のリンクＬを介して受信装置に送信するパケットを、パケット長ＰＬと、各リンクＬの期待伝送速度ＥＦＲとに基づいて、各リンクＬに分配する。
本実施形態の無線送信装置１によれば、送信元装置が複数のリンクＬを介して受信装置に送信するパケットを、パケット長ＰＬと各リンクＬの期待伝送速度ＥＦＲに基づいて各リンクＬに分配する。これにより、本実施形態の無線送信装置１は、パケットを複数のリンクＬを用いて送信することで、合計のパケットの送信速度を単一のリンクＬを用いて送信するときよりも速くすることができる。
【００４８】
また、上述したように通信状態情報ＣＳには、リンクＬの伝送速度、リンクＬを同時に使用して通信する端末装置数、リンクＬの使用率、リンクＬの再送率、リンクＬの伝送遅延時間、リンクＬの受信信号強度、リンクＬのエラー率及び無線送信装置１に割り当てられたデータの送信スケジュールのうち、少なくとも１つが含まれる。
本実施形態の無線送信装置１によれば、各リンクＬの通信状態情報ＣＳに応じた期待伝送速度ＥＦＲを算出し、送信元装置が複数のリンクＬを介して受信装置に送信するパケットを、パケット長ＰＬと各リンクＬの期待伝送速度ＥＦＲに基づいて各リンクＬに分配する。これにより、本実施形態の無線送信装置１は、パケットを複数のリンクＬを用いて送信することで、合計のパケットの送信速度を単一のリンクＬを用いて送信するときよりも速くすることができる。
【００４９】
［変形例１］
以下、図を参照して本発明の第１実施形態に係る変形例について説明する。
第１実施形態では、端末装置ＣＤ１が無線基地局ＷＳ１と直接リンクＬによって接続される場合について説明した。
変形例１では、端末装置ＣＤ１が副基地局ＳＷＳを介して無線基地局ＷＳ１と接続される場合について説明する。
なお、上述した第１実施形態と同様の構成には、同一の符号を付して説明を省略する。
【００５０】
＜無線送信装置の具体例：その２  無線基地局、端末装置及び副基地局の接続＞
以下、図５を参照して、無線送信装置１１及び無線送信装置１２によるパケットの分配の具体的な例について説明する。
図５は、変形例１における無線基地局ＷＳ１と、端末装置ＣＤ１とのパケットの送信の一例を示す図である。
図５に示す通り、この一例では、無線基地局ＷＳ１と、端末装置ＣＤ１とが複数のリンクＬを介して１対１に接続される。具体的には、無線基地局ＷＳ１と、端末装置ＣＤ１とは、リンクＬ１を介して接続される。また、無線基地局ＷＳ１と、副基地局ＳＷＳとは、伝送線路による通信（以下、有線リンクＷＬ）によって接続される。具体的には、無線基地局ＷＳ１と、副基地局ＳＷＳとは、有線リンクＷＬ１を介して接続される。また、端末装置ＣＤ１と、副基地局ＳＷＳとは、リンクＬであるリンクＬ２を介して接続される。
【００５１】
＜無線基地局について＞
変形例１の無線基地局ＷＳ１は、無線通信部ＷＣ２に代えてプロトコル変換部ＣＰ１を備える。プロトコル変換部ＣＰ１は、有線リンクＷＬ１の通信手段に合わせて下りパケットを変換し、送信する。また、プロトコル変換部ＣＰ１は、上述した構成によって、送信する下りパケットの配分が無線送信装置１１によって制御される。
ここで、変形例１の無線送信装置１１が備える下り期待伝送速度算出部１２０−１は、副基地局ＳＷＳを介したリンクＬ２の通信状態情報ＣＳに基づいて、当該リンクＬ２の期待伝送速度ＥＦＲ２を算出する。この場合、下り期待伝送速度算出部１２０−１は、副基地局ＳＷＳを介したリンクＬ２の伝送速度、リンクＬ２を同時に使用する端末装置数及び副基地局ＳＷＳを介したリンクＬ２の再送率をリンクＬ２の通信状態情報ＣＳ２として取得する。また、下り期待伝送速度算出部１２０−１は、取得した通信状態情報ＣＳ２に基づいて、期待伝送速度ＥＦＲ２を算出する。
例えば、下り期待伝送速度算出部１２０−１は、無線基地局ＷＳ１が副基地局ＳＷＳに測定用パケットを送信し、有線リンクＷＬ１の伝送速度を取得する。下り期待伝送速度算出部１２０−１は、取得した有線リンクＷＬ１の伝送速度に基づいて、期待伝送速度ＥＦＲ２を算出する。測定用パケットとは、有線リンクＷＬの通信品質を測定することを目的としたパケットである。無線送信装置１１は、測定用パケットを送信することによって、送信元装置は、有線リンクＷＬの伝送速度、有線リンクＷＬを同時に使用して通信する端末装置数、有線リンクＷＬの使用率、有線リンクＷＬの再送率、有線リンクＷＬの伝送遅延時間、有線リンクＷＬの受信信号強度及び有線リンクＷＬのエラー率及び無線送信装置１１に割り当てられたデータの送信スケジュールのうち、少なくとも１つを取得する。
【００５２】
下り期待伝送速度算出部１２０−１は、算出した期待伝送速度ＥＦＲ２を下りパケット分配部１３０−１に供給する。
なお、上述では、無線基地局ＷＳ１と、副基地局ＳＷＳとが有線リンクＷＬ２を介して接続される場合について説明したが、これに限られない。無線基地局ＷＳ１と、副基地局ＳＷＳとは、複数の有線リンクＷＬを介して接続されてもよい。この場合、期待伝送速度算出部１２０−１は、有線リンクＷＬ毎の伝送速度に基づいて期待伝送速度ＥＦＲを算出し、パケット分配部１３０−１に供給してもよい。
以降の構成については、第１実施形態と同様であるため、説明を省略する。
＜副基地局について＞
副基地局ＳＷＳは、送信元装置が受信装置に送信するパケットを中継する装置である。具体的には、副基地局ＳＷＳは、無線基地局ＷＳ１が端末装置ＣＤ１に送信する下りパケットを中継する。また、副基地局ＳＷＳは、端末装置ＣＤ１が無線基地局ＷＳ１に送信する上りパケットを中継する。
変形例１では、副基地局ＳＷＳは、プロトコル変換部ＣＰ２と、無線通信部ＷＣ５とを備える。プロトコル変換部ＣＰ２は、有線リンクＷＬ１を介して受信した下りパケットを無線通信部ＷＣ５の通信手段に変換する。また、プロトコル変換部ＣＰ２は、無線通信部ＷＣ５を介して受信した上りパケットを有線リンクＷＬ１の通信手段に変換する。無線通信部ＷＣ５は、ＰＨＹ層及びデータリンク層の機能を有する。無線通信部ＷＣ５とは、例えば、無線モジュールである。この一例では、無線通信部ＷＣ４と、無線通信部ＷＣ５とは、リンクＬ２を介して接続され、パケットの送受信を行う。
以降の構成については、第１実施形態と同様であるため、説明を省略する。
【００５３】
なお、上述では、無線基地局ＷＳ１と、端末装置ＣＤ１とを接続するリンクＬ１と、リンクＬ２とのうち、リンクＬ２が副基地局ＳＷＳを介して接続される場合について説明したが、これに限られない。例えば、無線基地局ＷＳ１と、端末装置ＣＤ１とを接続するＬ１と、リンクＬ２とのいずれもが副基地局ＳＷＳを介して端末装置ＣＤ１に接続される構成であってもよい。また、無線基地局ＷＳ１と、端末装置ＣＤ１とを接続するリンクＬ１が副基地局ＳＷＳを介して接続される構成であってもよい。
【００５４】
＜変形例１のまとめ＞
以上説明したように、変形例１の端末装置ＣＤ１と、無線基地局ＷＳ１とを接続する複数のリンクＬのうち、リンクＬ２は、副基地局ＳＷＳを介して端末装置ＣＤ１と、無線基地局ＷＳ１とを接続する。
変形例１の無線送信装置１１が備える下り期待伝送速度算出部１２０−１は、副基地局ＳＷＳを介したリンクＬ２の通信状態情報ＣＳに基づいて、当該リンクＬ２の期待伝送速度ＥＦＲ２を算出する。つまり、本実施形態の無線基地局ＷＳ１が備える無線送信装置１１は、伝送線路における伝送速度及び再送率を考慮した期待伝送速度ＥＦＲ２を算出する。
また、変形例１の無線送信装置１２が備える上り期待伝送速度算出部１２０−２は、副基地局ＳＷＳを介したリンクＬ２の通信状態情報ＣＳに基づいて、当該リンクＬ２の期待伝送速度ＥＦＲ２を算出する。つまり、本実施形態の端末装置ＣＤ１が備える無線送信装置１２は、伝送線路における伝送速度及び再送率を考慮した期待伝送速度ＥＦＲ２を算出する。
したがって、変形例１の無線送信装置１２によれば、端末装置ＣＤ１と、無線基地局ＷＳ１とが副基地局ＳＷＳを介する有線リンクＷＬと、リンクＬとを介して接続される場合であっても、合計のパケットの送信速度を単一のリンクＬを用いて送信する場合と比較して速くすることができる。
【００５５】
［変形例２］
以下、図を参照して、第１実施形態に係る変形例２について説明する。
第１実施形態及び変形例１では、無線基地局ＷＳ１が備える無線送信装置１１が端末装置ＣＤに送信する下りパケットを分配する場合について説明した。
変形例２では、無線基地局ＷＳよりも上位の階層の装置（以下、パケット分配装置ＳＰ）が端末装置ＣＤ１に送信する下りパケットを各無線基地局ＷＳに分配する場合について説明する。
なお、上述した第１実施形態及び変形例１と同様の構成については、同一の符号を付して説明を省略する。
【００５６】
＜無線送信装置の具体例：その３  パケット分配装置、無線基地局及び端末装置の接続＞
以下、図６を参照して、無線送信装置１２及び無線送信装置１３によるパケットの分配の具体的な例について説明する。
図６は、変形例２におけるパケット分配装置ＳＰと、無線基地局ＷＳ１と、端末装置ＣＤ１とのパケットの送信の一例を示す図である。
図６に示す通り、この一例では、無線基地局ＷＳ２と、端末装置ＣＤ１とは、リンクＬ１を介して１対１に接続される。また、無線基地局ＷＳ３と、端末装置ＣＤ１とは、リンクＬ２を介して１対１に接続される。
また、無線基地局ＷＳ２と、パケット分配装置ＳＰとは、有線リンクＷＬ２を介して接続される。また、無線基地局ＷＳ３と、パケット分配装置ＳＰとは、有線リンクＷＬ３を介して接続される。
【００５７】
＜無線基地局について＞
変形例２の無線基地局ＷＳは、送信元装置が受信装置に送信するパケットを中継する。具体的には、無線基地局ＷＳ２及び無線基地局ＷＳ３は、端末装置ＣＤ１がパケット分配装置ＳＰに送信する上りパケットを中継する。また、無線基地局ＷＳ２及び無線基地局ＷＳ３は、パケット分配装置ＳＰが端末装置ＣＤ１に送信する下りパケットを中継する。
変形例２の無線基地局ＷＳは、無線通信部ＷＣと、プロトコル変換部ＣＰとを備える。具体的には、無線基地局ＷＳ２は、無線通信部ＷＣ６と、プロトコル変換部ＣＰ５とを備える。また、無線基地局ＷＳ３は、無線通信部ＷＣ７と、プロトコル変換部ＣＰ６とを備える。
プロトコル変換部ＣＰ５は、有線リンクＷＬ２の通信手段に合わせて、上りパケットを変換し、送信する。無線通信部ＷＣ６と、無線通信部ＷＣ３とは、リンクＬ１を介して接続され、パケットの送受信を行う。プロトコル変換部ＣＰ６は、有線リンクＷＬ３の通信手段に合わせて、上りパケットを変換し、送信する。無線通信部ＷＣ７と、無線通信部ＷＣ３とは、リンクＬ２を介して接続され、パケットの送受信を行う。
【００５８】
＜パケット分配装置について＞
パケット分配装置ＳＰは、パケット分配装置ＳＰと接続される各無線基地局ＷＳに送信させる下りパケットを分配する装置である。図６に示す通り、パケット分配装置ＳＰは、プロトコル変換部ＣＰ３と、プロトコル変換部ＣＰ４と、上りパケット結合部ＵＦＰ２と、データ通信部ＤＲ３と、無線送信装置１３とを備える。
【００５９】
プロトコル変換部ＣＰ３は、有線リンクＷＬ２の通信手段に合わせて下りパケット変換し、送信する。また、プロトコル変換部ＣＰ３は、上述した構成によって、送信する下りパケットの配分が無線送信装置１３によって制御される。
また、プロトコル変換部ＣＰ４は、有線リンクＷＬ３の通信手段に合わせて下りパケット変換し、送信する。また、プロトコル変換部ＣＰ４は、上述した構成によって、送信する下りパケットの配分が無線送信装置１３によって制御される。
【００６０】
上りパケット結合部ＵＦＰ２は、プロトコル変換部ＣＰ２及びプロトコル変換部ＣＰ３から上りパケットを取得する。上りパケット結合部ＵＦＰ２は、取得した上りパケットが分割されていないパケットである場合、当該上りパケットをデータ通信部ＤＲ３に供給する。また、上りパケット結合部ＵＦＰ２は、取得した上りパケットが分割されたパケットである場合、到着した上りパケットのシーケンス番号に基づいて、上りパケットの受信順序が正しい順序になるように並べ替え、データ通信部ＤＲ３に供給する。
【００６１】
データ通信部ＤＲ３は、パケット分配装置ＳＰが送受信するパケットを転送する処理を行う。具体的には、データ通信部ＤＲ３は、上りパケット結合部ＵＦＰ２から取得する上りパケットをパケット分配装置ＳＰと通信可能に接続される他の装置（不図示）に送信する。また、データ通信部ＤＲ３は、パケット分配装置ＳＰと通信可能に接続される他の装置であって、パケット分配装置ＳＰを介して端末装置ＣＤ１にパケットを送信する装置から下りパケットを取得する。データ通信部ＤＲ３は、取得した下りパケットを無線送信装置１３に供給する。
【００６２】
なお、データ通信部ＤＲ３は、パケット分配装置ＳＰが送受信するパケットを転送する処理を行う機能の他、上りパケット及び下りパケットを生成する機能を有していていもよい。この場合、データ通信部ＤＲ３は、端末装置ＣＤ１、無線基地局ＷＳ２及び無線基地局ＷＳ３のうち、少なくともいずれかの動作に応じて、パケット分配装置ＳＰに接続される他の装置に送信する上りパケットを生成してもよい。また、データ通信部ＤＲ３は、パケット分配装置ＳＰに接続される他の装置の動作に応じて、端末装置ＣＤ１に送信する下りパケットを生成してもよい。
【００６３】
パケット分配装置ＳＰが備える無線送信装置１３は、制御部１００−３を備える。制御部１００−３は、ＣＰＵを備えており、下りパケット長取得部１１０−３と、下り期待伝送速度算出部１２０−３と、下りパケット分配部１３０−３とをその機能部として備える。下りパケット長取得部１１０−３は、パケット分配装置ＳＰが送信する下りパケットの下りパケット長ＤＰＬを取得するパケット長取得部１１０である。また、下り期待伝送速度算出部１２０−３は、パケット分配装置ＳＰが送信する下りパケットの期待伝送速度ＥＦＲを各リンクＬの通信状態情報ＣＳに基づいて算出する期待伝送速度算出部１２０である。また、下りパケット分配部１３０−３は、下りパケット長ＤＰＬと、下りパケットの期待伝送速度ＥＦＲとに基づいて、無線基地局ＷＳ２及び無線基地局ＷＳ３に送信させる下りパケットを配分するパケット分配部１３０である。
【００６４】
ここで、変形例２の無線送信装置１３が備える上り期待伝送速度算出部１２０−３は、無線基地局ＷＳ２を介したリンクＬ１の通信状態情報ＣＳ１に基づいて、当該リンクＬ１の期待伝送速度ＥＦＲ１を算出する。この場合、上り期待伝送速度算出部１２０−３は、無線基地局ＷＳ２を介したリンクＬ１の伝送速度、リンクＬ１を同時に使用する端末装置数及び無線基地局ＷＳ２を介したリンクＬ１の再送率をリンクＬ１の通信状態情報ＣＳ１として取得する。また、上り期待伝送速度算出部１２０−３は、取得した通信状態情報ＣＳ１に基づいて、期待伝送速度ＥＦＲ１を算出し、下りパケット分配部１３０−３に供給する。
また、上り期待伝送速度算出部１２０−３は、無線基地局ＷＳ３を介したリンクＬ２の通信状態情報ＣＳ２に基づいて、当該リンクＬ２の期待伝送速度ＥＦＲ２を算出する。この場合、上り期待伝送速度算出部１２０−３は、無線基地局ＷＳ３を介したリンクＬ２の伝送速度、リンクＬ２を同時に使用する端末装置数及び無線基地局ＷＳ３を介したリンクＬ２の再送率をリンクＬ２の通信状態情報ＣＳ２として取得する。また、上り期待伝送速度算出部１２０−３は、取得した通信状態情報ＣＳ２に基づいて、期待伝送速度ＥＦＲ２を算出し、下りパケット分配部１３０−３に供給する。
以降の構成については、第１実施形態及び変形例１と同様であるため、説明を省略する。
【００６５】
＜変形例２のまとめ＞
以上説明したように、変形例２のパケット分配装置ＳＰが備える無線送信装置１３は、無線基地局ＷＳ２及び無線基地局ＷＳ３が端末装置ＣＤ１に送信する下りパケットを分配する。
したがって、変形例２の無線送信装置１３によれば、無線基地局ＷＳが端末装置ＣＤに送信する下りパケットを各無線基地局ＷＳに分配して送信し、合計のパケットの送信速度を単一のリンクＬを用いて送信するときよりも速くすることができる。
【００６６】
なお、上述では、送信装置と、受信装置とが１対１に接続される場合について説明したが、これに限られない。送信装置と、受信装置とは、１対多接続されていてもよい。
図７は、変形例２における無線基地局ＷＳと、端末装置ＣＤとが１対多接続される構成の一例を示す図である。
図７に示す通り、この一例では、パケット分配装置ＳＰと、無線基地局ＷＳ４とは、有線リンクＷＬ１によって接続される。また、パケット分配装置ＳＰと、無線基地局ＷＳ５とは、有線リンクＷＬ２によって接続される。パケット分配装置ＳＰは、無線基地局ＷＳ４と、無線基地局ＷＳ５とに下りパケットを分配する。
また、無線基地局ＷＳ４と、端末装置ＣＤａ、端末装置ＣＤｂ、端末装置ＣＤｃ及び端末装置ＣＤｄとは、リンクＬ１を介して接続される。また、無線基地局ＷＳ５と、端末装置ＣＤｃ、端末装置ＣＤｄ、端末装置ＣＤｅ及び端末装置ＣＤｆとは、リンクＬ２を介して接続される。つまり、端末装置ＣＤｃ及び端末装置ＣＤｄは、複数のリンクＬ（この一例では、リンクＬ１及びリンクＬ２）を介して送信装置（この一例では、パケット分配装置ＳＰ）と接続される。
この接続の場合、パケット分配装置ＳＰは、リンクＬ１の期待伝送速度ＥＦＲ１と、リンクＬ２の期待伝送速度ＥＦＲ２とに基づいて、端末装置ＣＤｃ又は端末装置ＣＤｄに送信される下りパケットを分配して送信し、合計のパケットの送信速度を単一のリンクＬを用いて送信するときよりも速くすることができる。
【００６７】
また、上述では、パケット分配部１３０は、送信元装置と、受信装置とを接続する複数のリンクＬに対して、期待伝送速度ＥＦＲの値と同一の配分によってパケットを配分する場合について説明したが、これに限られない。ここで、リンクＬの受信信号強度は、受信装置の移動等に伴い、逐次変化する場合がある。パケット分配部１３０は、例えば、各リンクＬの受信信号強度に応じて、パケットの配分を変更してもよい。具体的には、パケット分配部１３０は、受信装置の受信信号強度が弱いリンクＬには、多くのパケットを分配せず、受信信号強度が強いリンクＬには、多くのパケットを分配するようにしてもよい。
また、パケット分配部１３０は、期待伝送速度ＥＦＲが著しく低いリンクＬには、パケットを分配しなくてもよい。また、パケット分配部１３０は、期待伝送速度ＥＦＲが著しく高いリンクＬが存在する場合、当該リンクＬにのみパケットを分配してもよい。
また、パケット分配部１３０は、リンクＬの接続が安定しているか否かに基づいて、リンクＬ毎に重みづけを行い、当該重みづけに応じてパケットを分配してもよい。
【００６８】
なお、上記の各実施形態における無線送信装置１、無線送信装置１１、無線送信装置１２及び無線送信装置１３が備える各部は、専用のハードウェアにより実現されるものであってもよく、また、メモリおよびマイクロプロセッサにより実現させるものであってもよい。
【００６９】
なお、無線送信装置１、無線送信装置１１、無線送信装置１２及び無線送信装置１３が備える各部は、メモリおよびＣＰＵ（中央演算装置）により構成され、無線送信装置１、無線送信装置１１、無線送信装置１２及び無線送信装置１３が備える各部の機能を実現するためのプログラムをメモリにロードして実行することによりその機能を実現させるものであってもよい。
【００７０】
また、無線送信装置１、無線送信装置１１、無線送信装置１２及び無線送信装置１３が備える各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。
【００７１】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００７２】
以上、本発明の実施形態を、図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【００７３】
１、１１、１２、１３…無線送信装置、１００、１００−１、１００−２、１００−３…制御部、１１０、１１０−１、１１０−２、１１０−３…パケット長取得部、１２０、１２０−１、１２０−２、１２０−３…期待伝送速度算出部、１３０、１３０−１、１３０−２、１３０−３…パケット分配部、ＷＳ、ＷＳ１、ＷＳ２、ＷＳ３、ＷＳ４、ＷＳ５…無線基地局、ＣＤ、ＣＤ１、ＣＤａ、ＣＤｂ、ＣＤｃ、ＣＤｄ、ＣＤｅ、ＣＤｆ…端末装置、ＳＷＳ…副基地局、ＳＰ…パケット分配装置、ＣＳ、ＣＳ１、ＣＳ２…通信状態情報、ＥＦＲ、ＥＦＲ１、ＥＦＲ２…期待伝送速度、Ｌ、Ｌ１、Ｌ２…リンク
【図１】
2018056974.tif 000003
【図２】
2018056974.tif 000004
【図３】
2018056974.tif 000005
【図４】
2018056974.tif 000006
【図５】
2018056974.tif 000007
【図６】
2018056974.tif 000008
【図７】
2018056974.tif 000009